(57)【要約】【課題】所望の表示装置に所望の画面を表示させる。【解決手段】コンピュータ１は、コンピュータ１に接続される１つ以上の表示装置３と、表示装置３が表示する画面とを対応付けた画面表示パターンデータＤｐｔｎを参照して、コンピュータ１に接続されている表示装置３に表示させる画面を決定する表示画面決定部８３３と、決定された画面を対応する表示装置３に表示させる表示制御部８２とを備えている。【選択図】図２
2018066936.tif 000002
【特許請求の範囲】
【請求項１】
表示制御装置に接続される１つ以上の表示装置と、当該表示装置が表示する画面とを対応付けた画面表示パターン情報を参照して、前記表示制御装置に接続されている前記表示装置に表示させる前記画面を決定する表示画面決定部と、
決定された前記画面を対応する前記表示装置に表示させる表示制御部とを備えていることを特徴とする表示制御装置。
【請求項２】
前記表示制御装置に接続されている１つ以上の前記表示装置を特定する接続特定部をさらに備え、
前記表示画面決定部は、前記画面表示パターン情報を参照して、特定された前記表示装置に表示させる前記画面を決定することを特徴とする請求項１に記載の表示制御装置。
【請求項３】
前記画面は表示される優先度が付与されており、
前記画面表示パターン情報は、前記優先度が高いほど表示される可能性が高くなるように、前記表示装置と前記画面とを対応付けていることを特徴とする請求項２に記載の表示制御装置。
【請求項４】
前記画面表示パターン情報は、予め定められた事象の発生を報知する報知画面を含めて前記表示装置に対応付けていることを特徴とする請求項２に記載の表示制御装置。
【請求項５】
前記画面表示パターン情報は、前記表示制御装置にネットワークを介して接続される前記表示装置と、当該表示装置が表示する前記画面と対応付けており、さらに、他の表示制御装置に対応する前記表示装置が表示する前記画面を当該表示装置に対応付けていることを特徴とする請求項１に記載の表示制御装置。
【請求項６】
前記表示装置に接続されている前記表示装置を特定する表示装置特定情報を取得するとともに、前記画面を特定する画面特定情報を取得し、前記表示装置特定情報と前記画面特定情報とを対応付けることにより前記画面表示パターン情報を作成する画面表示パターン情報作成部をさらに備えていることを特徴とする請求項１から５のいずれか１項に記載の表示制御装置。
【請求項７】
前記画面表示パターン情報は、前記表示装置を特定する表示装置特定情報を前記画面と対応付け、
前記表示制御装置は、交換された前記表示装置を特定する前記表示装置特定情報を取得するとともに、前記画面表示パターン情報における表示装置特定情報を書き替える画面表示パターン情報更新部をさらに備えていることを特徴とする請求項１から５のいずれか１項に記載の表示制御装置。
【発明の詳細な説明】
【技術分野】
【０００１】
本発明は、複数の表示装置における画面の表示を制御する表示制御装置に関する。
【背景技術】
【０００２】
近年、コンピュータのグラフィック性能が向上してきたことや、コンピュータの利用形態の多様化が進んだことなどにより、１台のコンピュータに複数の表示装置を接続して表示するマルチディスプレイが行なわれるようになってきている。例えば、特許文献１には、ウインドウごとにディスプレイを分配するために、複数のアプリケーション上で起動されているウインドウを、そのウインドウごとに管理し、予め指定されたディスプレイに出力させるオペレーティングシステムが開示されている。このように、近年のオペレーティングシステムには、マルチディスプレイに対応したものが登場している。
【先行技術文献】
【特許文献】
【０００３】
【特許文献１】特開２０１２−１７４１５０号公報（２０１２年９月１０日公開）
【発明の概要】
【発明が解決しようとする課題】
【０００４】
コンピュータと表示装置との接続に近年使用されている映像伝送ケーブルは、端子への接続を検知するための接続検知信号を伝送する機能を有している。このため、表示装置の電源をオフしても、映像伝送ケーブルを接続していれば、コンピュータは表示装置を認識することができる。この接続検知信号を用いることで、表示装置の電源をオン・オフしても、各表示装置に規定された画面の表示が維持される。
【０００５】
しかしながら、映像伝送ケーブルの物理的な切断等により接続検知信号が遮断された状態や、ネットワークを介した表示装置の接続環境のように、接続検知信号を用いることができない場合がある。このような場合、通信異常等が生じることで、コンピュータに接続される表示装置の構成が規定の表示装置の構成と異なることがある。このような状態では、表示装置に本来表示されることが規定されていない画面が表示されてしまう。しかも、コンピュータと表示装置との接続が正常な状態に復帰しても、当該表示装置に表示される画面は正常時の画面に戻らない。
【０００６】
例えば、図１１の（ａ）に示すように、３台の第１表示装置Ｄ１０１、第２表示装置Ｄ１０２および第３表示装置Ｄ１０３が、ネットワーク１０２を介して１台のコンピュータ１０１に接続される表示システムを想定する。この表示システムでは、コンピュータ１０１が記憶している、第１画面ＳＡ、第２画面ＳＢおよび第３画面ＳＣのそれぞれの画面データが、対応する第１表示装置Ｄ１０１、第２表示装置Ｄ１０２および第３表示装置Ｄ１０３に送信される。これにより、コンピュータ１０１と、第１表示装置Ｄ１０１、第２表示装置Ｄ１０２および第３表示装置Ｄ１０３との間に通信異常が生じていない状態では、第１表示装置Ｄ１０１は第１画面ＳＡを表示し、第２表示装置Ｄ１０２は第２画面ＳＢを表示し、第３表示装置Ｄ１０３は第３画面ＳＣを表示する。
【０００７】
これに対し、図１１の（ｂ）に示すように、コンピュータ１０１と第２表示装置Ｄ１０２との間に通信異常が生じている状態では、第２表示装置Ｄ１０２がコンピュータ１０１から切断された状態となる。このため、コンピュータ１０１は、第２画面ＳＢを表示すべき第２表示装置Ｄ１０２が切断されていることを認識すると、第２画面ＳＢが表示されないことを回避するため、第２画面ＳＢを第３表示装置Ｄ１０３に表示させる。また、コンピュータ１０１は、第３表示装置Ｄ１０３に表示されなくなった第３画面ＳＣを第１表示装置Ｄ１０１に表示させる。
【０００８】
このため、工場の製造ラインのように表示装置が各所に分散されて配置されるようなシステムにおいて、上記のように本来表示される画面から他の画面に切り替わって表示されると、各表示装置に配置されたオペレータは所定の画面を監視することができなくなる。しかも、表示装置がタッチパネルを有するような操作型の表示装置である場合、オペレータは所定の画面に対する操作もできなくなる。
【０００９】
本発明の一態様は、所望の表示装置に所望の画面を表示させることを目的とする。
【課題を解決するための手段】
【００１０】
上記の課題を解決するために、本発明の一態様に係る表示制御装置は、表示制御装置に接続される１つ以上の表示装置と、当該表示装置が表示する画面とを対応付けた画面表示パターン情報を参照して、前記表示制御装置に接続されている前記表示装置に表示させる前記画面を決定する表示画面決定部と、決定された前記画面を対応する前記表示装置に表示させる表示制御部とを備えている。
【００１１】
上記の構成によれば、画面表示パターン情報に規定された表示装置と画面との対応付けに基づいて、どの表示装置にどの画面を表示させるかが決定される。これにより、表示制御装置または表示装置の通信不良時において、正常に動作している他の表示装置に所望の画面を表示させたり、正常に動作している他の表示制御装置が、通信不良を生じている表示制御装置に代わって表示装置に所望の画面を表示させたりすることができる。
【００１２】
上記表示制御装置は、前記表示制御装置に接続されている１つ以上の前記表示装置を特定する接続特定部をさらに備え、前記表示画面決定部は、前記画面表示パターン情報を参照して、特定された前記表示装置に表示させる前記画面を決定してもよい。
【００１３】
上記の構成によれば、表示制御装置に接続されていることが特定された表示装置に対応する画面が決定される。これにより、ある表示装置の通信不良時において、正常に通信できる他の表示装置に所望の画面を表示させることができる。それゆえ、正常に通信できる他の表示装置に本来表示されない画面が意図せずに表示されるという不都合を回避できる。
【００１４】
上記表示制御装置において、前記画面は表示される優先度が付与されており、前記画面表示パターン情報は、前記優先度が高いほど表示される可能性が高くなるように、前記表示装置と前記画面とを対応付けていてもよい。
【００１５】
上記の構成によれば、任意の表示装置の通信不良時において、表示させたい画面を優先して正常に動作している表示装置に表示することができる。
【００１６】
上記表示制御装置において、前記画面表示パターン情報は、予め定められた事象の発生を報知する報知画面を含めて前記表示装置に対応付けていてもよい。
【００１７】
上記の構成によれば、事象の発生時にどの表示装置に報知画面を表示させるかを予め設定することができる。これにより、事象の発生時に所望の表示装置に報知画面を表示させることができる。
【００１８】
上記表示制御装置において、前記画面表示パターン情報は、前記表示制御装置にネットワークを介して接続される前記表示装置と、当該表示装置が表示する前記画面と対応付けており、さらに、他の表示制御装置に対応する前記表示装置が表示する前記画面を当該表示装置に対応付けていてもよい。
【００１９】
上記の構成によれば、複数の表示制御装置は、ネットワークを介して相互に動作状態（通信状態）を認識することができる。また、他の表示制御装置に対応する表示装置が表示する画面を表示制御装置（自機）において予め設定することができる。これにより、表示制御装置は、他の表示制御装置が故障してネットワークから切断されたときに、当該他の表示制御装置が画面を表示させていた表示装置に、当該表示装置に代わって当該画面を表示させることができる。
【００２０】
上記表示制御装置は、前記表示装置に接続されている前記表示装置を特定する表示装置特定情報を取得するとともに、前記画面を特定する画面特定情報を取得し、前記表示装置特定情報と前記画面特定情報とを対応付けることにより前記画面表示パターン情報を作成する画面表示パターン情報作成部をさらに備えていてもよい。
【００２１】
上記の構成によれば、自動的に画面表示パターン情報が作成される。これにより、ユーザは、画面表示パターン情報の作成に煩わされることなく、気軽に表示システムを利用することができる。
【００２２】
上記表示制御装置において、前記画面表示パターン情報は、前記表示装置を特定する表示装置特定情報を前記画面と対応付け、前記表示制御装置は、交換された前記表示装置を特定する前記表示装置特定情報を取得するとともに、前記画面表示パターン情報における表示装置特定情報を書き替える画面表示パターン情報更新部をさらに備えていてもよい。
【００２３】
上記の構成によれば、交換された表示装置を含む、表示制御装置に接続された表示装置の新たな構成に応じて画面表示パターン情報を簡単に更新することができる。これにより、保守等で表示装置の容易に交換することができる。
【発明の効果】
【００２４】
本発明の一態様によれば、所望の表示装置に所望の画面を表示させることができるという効果を奏する。
【図面の簡単な説明】
【００２５】
【図１】本発明の各実施形態に係る製造システムの構成を示すブロック図である。
【図２】上記製造システムにおけるコンピュータの要部の構成を示すブロック図である。
【図３】本発明の実施形態１に係る上記コンピュータによる画面表示パターンデータの作成手順を示すフローチャート図である。
【図４】表示装置が上記コンピュータから切断された状態における上記コンピュータによる画面表示制御の手順を示すフローチャートである。
【図５】各表示装置の正常な接続状態の画面表示例を示す図である。
【図６】特定の表示装置が上記コンピュータから切断された状態の画面表示例を示す図である。
【図７】本発明の実施形態２に係る製造システムにおいて特定の表示装置が上記コンピュータから切断された状態の画面表示例を示す図である。
【図８】本発明の実施形態３に係る製造システムにおいて特定の表示装置が上記コンピュータから切断された状態の画面表示例を示す図である。
【図９】本発明の実施形態４に係る表示システムの構成を示すブロック図である。
【図１０】（ａ）は上記表示システムにおける正常な画面表示例を示す図であり、（ｂ）は上記表示システムにおいて１台のコンピュータが故障した状態の画面表示例を示す図であり、（ｃ）は上記表示システムにおいて１台のコンピュータが故障した状態の他の画面表示例を示す図である。
【図１１】（ａ）は従来の表示システムにおける各表示装置の正常な接続状態の画面表示例を示す図であり、（ｂ）は特定の表示装置がコンピュータから切断された状態の画面表示例を示す図である。
【発明を実施するための形態】
【００２６】
〔実施形態１〕
本発明の実施形態１について図１〜図６に基づいて説明すると、以下の通りである。
【００２７】
図１は、本実施形態を含む各実施形態に係る製造システム１０の構成を示すブロック図である。図２は、製造システム１０におけるコンピュータ１の要部の構成を示すブロック図である。
【００２８】
まず、製造システム１０の概要について説明する。
【００２９】
図１に示すように、製造システム１０は、コンピュータ１（表示制御装置）と、製造ライン２と、ＬＡＮ（Local Area Network）６とを備えている。コンピュータ１および製造ライン２は、ＬＡＮ６（ネットワーク）を介した通信を行なうことができるように、ＬＡＮケーブル、ルータ等を介して相互に接続されている。
【００３０】
コンピュータ１は、製造ライン２を制御するとともに、製造ライン２から得られたデータを収集する機能を備えている。コンピュータ１は、製造ライン２と独立して設けられているが、製造ライン２の一部として設けられていてもよい。
【００３１】
製造ライン２は、複数の表示装置３と、制御機器４と、装置５とを備えている。
【００３２】
表示装置３は、液晶表示パネル、ＥＬ表示パネル等からなる表示パネル３１と、表示パネル３１の表示面に重ねて配置されたタッチパネル３２とを有している。表示装置３は、タッチパネル３２により、表示パネル３１の表示面上での操作が可能となる操作型表示装置として機能する。また、表示装置３は、ＬＡＮ通信機器であり、ＬＡＮ６に接続されている。
【００３３】
なお、表示装置３は、ＬＡＮ６に限らず、ＲＧＢケーブルなどの他のケーブルを介してコンピュータ１に接続されていてもよい。
【００３４】
製造システム１０において、コンピュータ１、表示装置３およびＬＡＮ６によって表示システムが構築されている。
【００３５】
制御機器４は、装置５を制御する機器である。制御機器４は、ＰＬＣ（Programmable Logic Controller）、温度調節計、インバータ等の機器で構成される。制御機器４も、ＬＡＮ通信機器であり、ＬＡＮ６に接続されている。
【００３６】
なお、制御機器４は、シリアル通信機能を備える機種であれば、コンピュータ１と直接シリアル通信を行なってもよい。この場合、コンピュータ１がシリアルインターフェースを備えている必要がある。
【００３７】
装置５は、製造に係る各種の工程（加工、組み立て、塗装、搬送、検査等）を行なう。
【００３８】
続いて、コンピュータ１について詳細に説明する。
【００３９】
コンピュータ１は、汎用のＯＳ（Operating System）を実装しており、アプリケーションプログラムを実行する機能を備えている。また、コンピュータ１としては、パーソナルコンピュータ、ワークステーション、産業用コンピュータなどが用いられる。産業用コンピュータは、工場などの厳しい環境に適合するように、防塵性、防滴性、耐振動性などを高めた専用のコンピュータである。
【００４０】
本実施形態において、コンピュータ１は、ＨＭＩ（Human Machine Interface）アプリケーションプログラムを実行させることによりＨＭＩ機器として動作するともに、他のアプリケーションプログラムも併せて実行するように構成されている。ＨＭＩ機器としては、制御対象の監視および制御を行うプログラマブル表示器、ＳＣＡＤＡ（Supervisory Control And Data Acquisition）のような監視・制御システムなどが該当する。ＨＭＩアプリケーションプログラムは、ＨＭＩ機器で行われるような、外部機器との通信、当該外部機器から取得したデータの表示、入力装置を用いた操作者による操作の受け付けなどの各種の機能を実現するアプリケーションプログラムである。このＨＭＩアプリケーションプログラムは、ＨＭＩアプリケーションプログラムを伝送可能な任意の伝送媒体（通信ネットワーク、放送波など）を介してコンピュータ１に供給されてもよい。なお、ＨＭＩアプリケーションプログラムは、電子的な伝送によって具現化された、搬送波に埋め込まれたデータ信号の形態でも実現され得る。
【００４１】
まず、コンピュータ１のハードウェア構成について説明する。
【００４２】
図１に示すように、コンピュータ１は、ＣＰＵ（Central Processing Unit）１１と、メインメモリ１２と、ＲＯＭ（Read Only Memory）１３と、補助記憶装置１４と、入力部１５と、出力部１６と、ＬＡＮインターフェース部１７とを備えている。
【００４３】
ＣＰＵ１１は、アプリケーションプログラムを実行する処理装置である。具体的には、ＣＰＵ１１は、アプリケーションプログラムの実行に際して、メインメモリ１２、補助記憶装置１４、入力部１５などからデータを受け取り、当該データに対して演算または加工を施した上で、メインメモリ１２、補助記憶装置１４、出力部１６等に出力する。
【００４４】
メインメモリ１２は、コンピュータ１における主記憶装置を構成するメモリであり、ＤＲＡＭ（Dynamic Random Access Memory）によって構成される。
【００４５】
ＲＯＭ１３は、コンピュータ１の起動時やリセット時に実行されるＢＩＯＳ（Basic Input Output System）などの、コンピュータ１の動作に不可欠なプログラムを記憶している。
【００４６】
補助記憶装置１４は、ＯＳ、アプリケーションプログラム、各種のデータなどを記憶する大容量の記憶装置であり、ＨＤＤ（Hard Disc Drive）、ＳＳＤ（Solid State Drive）などで構成される。
【００４７】
入力部１５は、ユーザによる入力操作に用いられ、マウス、キーボードなどの各種の入力機器が装備される。
【００４８】
出力部１６は、ＯＳおよびアプリケーションプログラムの実行に伴ってコンピュータ１の内部で生成される、画像、音、文字などの各種の出力情報の出力に用いられ、ディスプレイ、スピーカ、プリンタなどの各種の出力機器が装備される。
【００４９】
入力部１５および出力部１６は、コンピュータ１に搭載される機器であってもよいが、外部機器としてコンピュータ１に接続される機器であってもよい。このような外部機器は、コンピュータ１と接続されることにより、コンピュータ１と一体に稼働する。
【００５０】
ＬＡＮインターフェース部１７は、外部機器をコンピュータ１とＬＡＮ（Local Area Network）通信が可能となるように接続するための接続部である。
【００５１】
続いて、コンピュータ１のシステム構成について説明する。
【００５２】
図２に示すように、コンピュータ１には、オペレーティングシステム（以降「ＯＳ」と称する）７が実装されるとともに、ＨＭＩ制御部８が設けられている。
【００５３】
ＯＳ７は、上述したメインメモリ１２、ＲＯＭ１３、補助記憶装置１４、入力部１５、出力部１６およびＬＡＮインターフェース部１７の管理など、アプリケーションプログラムに共通して利用される基本的な機能を提供し、コンピュータ１のシステム全体を管理するプログラムである。また、ＯＳ７は、補助記憶装置１４に記憶されているレジストリＲを管理するレジストリ管理部７１を有している。
【００５４】
レジストリＲは、設定情報のデータベースであり、ＯＳ７に関する基本情報、アプリケーションプログラムの設定情報および拡張情報等を含んでいる。また、レジストリＲは、コンピュータ１に接続されている表示装置３に付与されている固有のＩＤ（表示装置特定情報）も含んでいる。
【００５５】
レジストリ管理部７１は、レジストリＲに含まれる各種の情報の設定、更新および削除を行なう。また、レジストリ管理部７１は、ＨＭＩ制御部８に含まれる後述の表示監視部８３に表示装置３のＩＤを通知する。
【００５６】
ＨＭＩ制御部８は、ＨＭＩアプリケーションプログラムが実行されることにより実現されるＨＭＩ機能（ヒューマンマシンインターフェース機能）の部分である。
【００５７】
ここで、ＨＭＩ機能とは、ユーザの入力操作に応じた制御機器４への指示の発生と、制御機器４からの各種データの取得と、取得した当該各種データの表示および上記入力操作の受け付けを行うためのＨＭＩ画面の表示とを含む機能である。ＨＭＩ制御部８は、ＨＭＩ機能として、ユーザの操作入力に基づいて各部を制御する操作制御部８１と、ＨＭＩ画面の表示を制御する表示制御部８２とを有している。また、ＨＭＩ制御部８は、複数の表示装置３における画面の表示を監視する表示監視部８３を有している。
【００５８】
ＨＭＩ画面は、制御機器４に接続された装置５の状態を表示したり、表示装置３のタッチパネル３２への操作を受け付けたりするための各種のオブジェクトを含む画面である。ＨＭＩ画面に設けられるオブジェクトとしては、ランプ画像、データ表示器画像、スイッチ画像などの各種の部品画像が用意されている。ランプ画像は、装置５のオン・オフを点灯・消灯として表すランプを模した画像である。データ表示器画像は、制御機器４に収集された装置５の出力データを表示するデータ表示器を模した画像である。スイッチ画像は、装置５のオン・オフを操作するスイッチを模した画像である。このようなＨＭＩ画面を表示するための画面データＤｓは、パーソナルコンピュータにおいて作成され、例えば補助記憶装置１４に保存されている。
【００５９】
操作制御部８１は、タッチパネル３２におけるユーザのタッチによる入力操作に応じた操作指示を発生する。操作指示としては、制御機器４の起動・停止指示、制御機器４に与える制御データの変更、アプリケーションプログラムを起動させる起動指示などがある。操作制御部８１は、ＨＭＩ画面に設けられた起動スイッチのスイッチ画像がタッチされることで起動指示を発生して、ＯＳ７に与える。
【００６０】
表示制御部８２は、画面データＤｓに基づいて表示装置３にＨＭＩ画面を表示させる制御処理を行う。また、表示制御部８２は、ＬＡＮインターフェース部１７を介して取得した制御機器４のデータを、ＨＭＩ画面に反映させる処理を行う。例えば、表示制御部８２は、ＨＭＩ画面において、上述のランプ画像を点灯・消灯させたり、上述のデータ表示器画像にデータを表示させたりする処理を行う。また、表示制御部８２は、上記操作指示に応じてＨＭＩ画面の状態を変化させる処理を行う。例えば、表示制御部８２は、上述のスイッチ画像を操作する上記操作指示を受けて、当該スイッチ画像の表示状態（色、形状など）を変化させる処理を行う。
【００６１】
また、表示制御部８２は、後述する表示画面決定部８３３によって決定された、画面と表示装置３との関係に基づいて、各表示装置３が対応する画面を表示するように各表示装置３を制御する。
【００６２】
表示監視部８３は、表示装置３における画面の表示を監視するために、画面表示パターンデータ作成部８３１（画面表示パターン情報作成部）と、接続構成特定部８３２（接続特定部）と、表示画面決定部８３３とを有している。
【００６３】
画面表示パターンデータ作成部８３１は、コンピュータ１に接続されている表示装置３のそれぞれに表示される画面を表示装置３ごとに示すパターン（画面表示パターン）のデータ（画面表示パターンデータＤｐｔｎ）を作成する。画面表示パターンデータ作成部８３１によって作成された画面表示パターンデータＤｐｔｎ（画面表示パターン情報）は、補助記憶装置１４に記憶されている。
【００６４】
接続構成特定部８３２は、コンピュータ１に接続されている表示装置３がいずれの表示装置３であるのか、表示装置３の接続構成を特定する。
【００６５】
表示画面決定部８３３は、画面表示パターンデータＤｐｔｎを参照して、接続構成特定部８３２によって特定された表示装置３の接続構成に対応する画面表示パターンに基づいて、コンピュータ１に接続されている表示装置３が表示する画面を決定する。
【００６６】
続いて、上記のように構成されるコンピュータ１による画面表示パターンデータＤｐｔｎの作成について図３を参照して説明する。図３は、コンピュータ１が画面表示パターンデータＤｐｔｎを作成する手順を示すフローチャートである。
【００６７】
画面表示パターンデータ作成部８３１は、予め複数台の表示装置３がコンピュータ１に接続されている状態で、自動作成の指示が与えられると、図３に示す以降の処理を実行する。
【００６８】
まず、画面表示パターンデータ作成部８３１は、コンピュータ１に現在接続されている表示装置３のＩＤをレジストリ管理部７１から取得する（ステップＳ１）。レジストリ管理部７１は、画面表示パターンデータ作成部８３１の要求に応じて、補助記憶装置１４に記憶されているレジストリＲから該当するＩＤを読み出して画面表示パターンデータ作成部８３１に渡す。
【００６９】
次いで、画面表示パターンデータ作成部８３１は、各表示装置３が表示する画面を特定する画面特定情報を取得する（ステップＳ２）。画面特定情報の取得において、画面表示パターンデータ作成部８３１は、予め設定されている、コンピュータ１に接続されている表示装置３ごとに表示する画面の画面特定情報（画面に固有の画面番号や画面ＩＤ）を取得する。画面特定情報は、画面データＤｓの作成時に併せて設定されてもよい。
【００７０】
さらに、画面表示パターンデータ作成部８３１は、取得した表示装置３のＩＤおよび画面特定情報に基づいて、画面表示パターンを決定する（ステップＳ３）。画面表示パターンの決定において、画面表示パターンデータ作成部８３１は、複数の表示装置３のうち、コンピュータ１に接続される全ての表示装置３の組み合わせをＩＤの組み合わせで表し、ＩＤの各組み合わせについて、表示装置３ごとに表示する画面特定情報を割り当てることで、画面表示パターンを決定する。
【００７１】
このように、自動的に画面表示パターンデータＤｐｔｎを作成することにより、ユーザは、画面表示パターンデータＤｐｔｎの作成に煩わされることなく、気軽に表示システムを利用することができる。
【００７２】
なお、画面表示パターンデータ作成部８３１は、上述のように自動的に画面表示パターンデータＤｐｔｎを作成してもよいし、ユーザによる画面表示パターンデータＤｐｔｎの作成を支援してもよい。画面表示パターンデータ作成部８３１は、ユーザによる画面表示パターンデータＤｐｔｎの作成支援において、ステップＳ１のＩＤの取得をユーザの指示で行なうようにしたり、ステップＳ２の画面特定情報の取得を、画面特定情報（画面に固有の画面番号や画面ＩＤ）をユーザに入力させるＧＵＩ（Graphical User Interface）をコンピュータ１のディスプレイ（出力部１６）に表示させたりする。
【００７３】
これにより、ユーザの所望どおりに画面表示パターンデータＤｐｔｎを作成することができる。例えば、コンピュータ１に接続される表示装置３が突然変更されるなどといった状況の変化にも即時に対応することができる。
【００７４】
引き続き、表示装置３がＬＡＮ６（コンピュータ１）から切断された状態におけるコンピュータ１による画面表示制御について図４を参照して説明する。図４は、コンピュータ１が表示装置３の切断時における画面表示を制御する手順を示すフローチャートである。
【００７５】
図４に示すように、まず、接続構成特定部８３２は、表示装置３の接続構成が変化したことを検知する（ステップＳ１１）。
【００７６】
一般のネットワーク機器は、定期的に通信を行なうことによって、ネットワーク上で接続が有効であることを確認している。ネットワークに接続された機器は、通信相手の機器からキープアライブ信号を一定時間以上経過しても受信しない場合には接続を遮断する。
【００７７】
ＯＳ７は、表示装置３の接続の有無を監視しており、ＬＡＮケーブルの抜け、ノイズ混入、通信異常等によって表示装置３からキープアライブ信号を受信しなくなると、表示装置３の切断を判断する。ステップＳ１１の検知において、表示装置３がコンピュータ１から切断された場合、接続構成特定部８３２は、表示装置３の切断をＯＳ７から通知されることで認識する。
【００７８】
次いで、表示画面決定部８３３は、接続されている全ての表示装置３のＩＤを取得する（ステップＳ１２）。ＩＤの取得において、表示画面決定部８３３は、コンピュータ１に現在接続されている表示装置３のＩＤを、レジストリ管理部７１を介してレジストリＲから取得する。
【００７９】
さらに、表示画面決定部８３３は、取得したＩＤの各表示装置３についての組み合わせと、画面表示パターンデータＤｐｔｎにおけるＩＤの全ての組み合わせとを比較する（ステップＳ１３）。そして、表示画面決定部８３３は、この比較の結果、双方のＩＤの組み合わせで特定される画面表示パターンに従って各表示装置３に表示される画面を決定する（ステップＳ１４）。
【００８０】
ここで、上記のように手順に基づいた表示装置３の切断時における画面表示の制御の具体例について図５および図６を参照して説明する。図５は、各表示装置３の正常な接続状態の画面表示例を示す図である。図６は、特定の表示装置３がコンピュータ１から切断された状態の画面表示例を示す図である。
【００８１】
まず、以下に説明する例では、３台の表示装置３が１台のコンピュータ１に接続され、１台の表示装置３を主表示装置Ｄ１とし、他の２台の表示装置３をそれぞれ第１副表示装置Ｄ２および第２副表示装置Ｄ３としている。また、ＯＳ７としてWindows（登録商標）を用いている。Windows（登録商標）では、マルチディスプレイ表示を行なう場合、主となる画面と副となる画面とを定めている。
【００８２】
また、図５に示すように、コンピュータ１に画面データＤｓとして保存されている画面ＳＡ，ＳＢ，ＳＣは、それぞれ主表示装置Ｄ１、第１副表示装置Ｄ２、第２副表示装置Ｄ３に表示されるものとして定められている。そして、主表示装置Ｄ１、第１副表示装置Ｄ２、第２副表示装置Ｄ３のＩＤを、それぞれＩＤ１，ＩＤ２，ＩＤ３とする。
【００８３】
上記の表示装置３の構成に基づく画面表示パターンは、表１に示すように作成される。
【００８４】
【表１】
2018066936.tif 000003
【００８５】
図５に示すように、主表示装置Ｄ１、第１副表示装置Ｄ２および第２副表示装置Ｄ３が正常に接続されている場合、主表示装置Ｄ１は画面ＳＡを表示し、第１副表示装置Ｄ２は画面ＳＢを表示し、第２副表示装置Ｄ３は画面ＳＣを表示している。
【００８６】
この状態から、第１副表示装置Ｄ２は、コンピュータ１から切断されると、画面ＳＢを表示できなくなる。この場合、表示画面決定部８３３は、レジストリ管理部７１から取得したＩＤ１およびＩＤ３の組み合わせと、表１に示す画面表示パターンとに基づいて、主表示装置Ｄ１に画面ＳＡを表示し、第２副表示装置Ｄ３に画面ＳＣを表示し、第１副表示装置Ｄ２を非表示とすることを決定する。これにより、図６に示すように、主表示装置Ｄ１および第２副表示装置Ｄ３は、正常時と同じく、それぞれ画面ＳＡ，ＳＣを表示するが、第１副表示装置Ｄ２は何も表示しない。
【００８７】
このように、画面表示パターンを参照することにより、コンピュータ１から切断された表示装置３が表示を行なわず、コンピュータ１に接続されている表示装置３が画面の表示を維持する。これにより、図１１の（ｂ）に示す従来の表示システムのように、特定の表示装置（第２表示装置Ｄ１０２）がコンピュータ１０１から切断されたときに、コンピュータ１０１に接続されている表示装置（第１表示装置Ｄ１０１および第３表示装置Ｄ１０３）が本来表示すべき画面と異なる画面を表示するということを回避できる。
【００８８】
よって、運用中の製造システム１０に影響を与えることなく、用途に応じて、コンピュータ１に接続する表示装置３を追加したり削除したりすることができる。また、切断された表示装置３に表示されていた画面を他の表示装置３に表示させる作業を人手で行なう必要が無くなる。これにより、複数台の表示装置３を離れた位置に配置することができる。
【００８９】
なお、本実施形態におけるコンピュータ１は、以下のように構成されていてもよい。以下の構成は、後述する実施形態２〜４にも適用が可能である。
【００９０】
（１）管理情報の追加
表示監視部８３は、各表示装置３の配置、解像度、向き、拡張表示情報、複製表示情報等をさらに管理する。これにより、例えば、最大で３台の表示装置３についての画面表示パターンデータＤｐｔｎを自動的に作成することができる。
【００９１】
（２）２画面表示
表示監視部８３は、切断された表示装置３に表示されていた画面を非表示とし、当該画面を他の表示装置３の表示可能領域に縮小表示等の表示形態で表示する。このため、表示監視部８３は、両画面の表示割合の設定に基づいて表示される画面の大きさを制御する。これにより、１台の表示装置３に両方の画面を表示することがでる。
【００９２】
（３）タスクバーの表示位置変更
図６に示す主表示装置Ｄ１が切断された場合、主表示装置Ｄ１に表示されていたタスクバーが表示可能な第１副表示装置Ｄ２および第２副表示装置Ｄ３には表示されなくなる。このような不都合を回避するために、表示監視部８３は、ＯＳ７に対して、タスクバーの表示位置を変更する命令を与える。これにより、第１副表示装置Ｄ２および第２副表示装置Ｄ３にタスクバーを表示させることができる。タスクバーはウインドウの一つして扱われるので、他のアプリケーションプログラムと同様にタスクバーの表示位置をある程度変更することが可能になる。なお、第１副表示装置Ｄ２および第２副表示装置Ｄ３に表示させる画像はタスクバーに限定されない。
【００９３】
（４）表示装置３の交換
画面表示パターンデータ作成部８３１（画面表示パターン情報更新部）は、画面表示パターンデータＤｐｔｎにおける表示装置３のＩＤを交換された表示装置３についてのＩＤに書き替える。表示装置３が故障して交換される場合に、レジストリ管理部７１は、レジストリＲにおける表示装置３のＩＤを交換された表示装置３のＩＤに置き替える。画面表示パターンデータ作成部８３１は、レジストリ管理部７１を介して置き替えられた新たなＩＤを取得して、画面表示パターンデータＤｐｔｎにおけるＩＤを取得したＩＤに書き替える。
【００９４】
画面表示パターンデータＤｐｔｎは、コンピュータ１に接続されている表示装置３の構成と、各表示装置３に表示される画面の配置とを規定している。従って、表示装置３の構成ごとに画面の座標が決まっている。このため、表示装置３を交換すると、交換前の表示装置３の情報は使用できない。１台の表示装置３のみが交換されても、コンピュータ１に接続される表示装置３の全体構成が変わるので、画面表示パターンデータＤｐｔｎを新たに作成する必要がある。そこで、上記のように、画面表示パターンデータＤｐｔｎにおけるＩＤを交換された表示装置３のＩＤに置き替えることにより、表示装置３の新たな構成に応じて画面表示パターンデータＤｐｔｎを簡単に更新することができる。これにより、保守等で表示装置３の容易に交換することができる。
【００９５】
（５）タッチパネル３２の入力無効化
表示監視部８３は、表示装置３の切断時および接続時に何らかの入力が行なわれている場合、一時的にタッチパネル３２の入力を無効化するように操作制御部８１に指示する。これにより、表示装置３の切断時および接続時における誤入力を防止することができる。
【００９６】
（６）スイッチ操作の扱い
表示監視部８３は、ユーザが、表示されている画面に含まれる、モーメンタリスイッチのような操作時にオン動作となるスイッチ画像をオン操作しているときに、表示装置３が切断されると、スイッチ画像に対する操作をオフ操作として扱うように操作制御部８１に指示する。これにより、スイッチ画像をオン操作しているときに、表示装置３が切断されることで、そのまま意図せずにスイッチ画像のオン操作が持続されることを回避できる。
【００９７】
（７）入力情報の扱い
表示監視部８３は、表示装置３に表示されたキーボード等への入力途中で表示装置３が切断されたとき、入力内容を保持するか、あるいは破棄するかを選択できるようにする。これにより、入力途中の入力内容の扱いをユーザが決定できる。
【００９８】
〔実施形態２〕
本発明の実施形態２について図１、図２、図５および図７に基づいて説明すると、以下の通りである。なお、本実施形態において、実施形態１における構成要素と同一の機能を有する構成要素については、同一の符号を付記して、その説明を省略する。
【００９９】
図１に示す製造システム１０において、本実施形態に係るコンピュータ１の表示画面決定部８３３は、予め定められた画面ごとの表示の優先度に応じて各表示装置３に表示すべき画面を決定する。このため、画面表示パターンデータ作成部８３１は、補助記憶装置１４に記憶されている優先度データＤｐｒを参照して、画面表示パターンデータＤｐｔｎを作成する。画面表示パターンデータＤｐｔｎでは、優先度の高い画面から優先して、コンピュータ１に接続されている表示装置３に表示するための画面表示パターンが規定されている。
【０１００】
ここで、実施形態１で説明した手順に基づいた表示装置３の切断時における画面表示の制御の具体例について図７を参照して説明する。図７は、本実施形態に係る製造システム１０において特定の表示装置３がコンピュータ１から切断された状態の画面表示例を示す図である。
【０１０１】
本実施形態でも、図５に示すように、主表示装置Ｄ１、第１副表示装置Ｄ２および第２副表示装置Ｄ３がコンピュータ１に接続されている状態では、それぞれに画面ＳＡ，ＳＢ，ＳＣが表示されるものとする。
【０１０２】
まず、優先度データＤｐｒにおいては、表２に示すように、各画面ＳＡ，ＳＢ，ＳＣの表示優先度が定められている。表２において、優先度“１”が最も高い優先度を表し、優先度“３”が最も低い優先度を表している。下記の優先度に基づけば、画面ＳＢの優先度が最も高く、画面ＳＡの優先度がそれに次ぎ、画面ＳＣの優先度が最も低い。
【０１０３】
【表２】
2018066936.tif 000004
【０１０４】
そして、上記の表示装置３の構成と優先度とに基づく画面表示パターンは、表３に示すように作成される。この画面表示パターンでは、優先度が高い画面ほど表示される可能性が高くなるように、表示装置３（ＩＤ）と画面とを対応付けている。
【０１０５】
【表３】
2018066936.tif 000005
【０１０６】
第１副表示装置Ｄ２は、図５に示す正常な接続状態から、コンピュータ１から切断されると、画面ＳＢを表示できなくなる。この場合、表示画面決定部８３３は、レジストリ管理部７１から取得したＩＤ１およびＩＤ３の組み合わせと、表３に示す画面表示パターンとに基づいて、主表示装置Ｄ１に画面ＳＡを表示し、第２副表示装置Ｄ３に画面ＳＢを表示し、第１副表示装置Ｄ２を非表示とすることを決定する。これにより、図７に示すように、第２副表示装置Ｄ３は、正常時と異なり、優先度の最も高い画面ＳＢを表示し、主表示装置Ｄ１は、正常時と同じく、画面ＳＡを表示するが、第１副表示装置Ｄ２は何も表示しない。このため、最も優先度の低い画面ＳＣは表示されなくなる。
【０１０７】
このように、画面表示の優先度に基づく画面表示パターンを参照することにより、コンピュータ１から切断された表示装置３が表示を行なわず、コンピュータ１に接続されている表示装置３が優先度の高い画面を表示する。これにより、任意の表示装置３がコンピュータ１から切断されても、表示させたい画面を優先して表示装置３に表示することができる。
【０１０８】
〔実施形態３〕
本発明の実施形態３について図１、図２、図５および図８に基づいて説明すると、以下の通りである。なお、本実施形態において、実施形態１における構成要素と同一の機能を有する構成要素については、同一の符号を付記して、その説明を省略する。
【０１０９】
図１に示す製造システム１０において、本実施形態に係るコンピュータ１の表示画面決定部８３３は、アラーム（警報）の発生時には、コンピュータ１に接続されている表示装置３が表示する画面として、アラームを報知するための報知画面を含む画面を決定する。このため、画面表示パターンデータ作成部８３１は、通常時の画面表示パターンデータＤｐｔｎと、アラーム発生時の画面表示パターンデータＤｐｔｎとを作成する。
【０１１０】
ここで、実施形態１で説明した手順に基づいた表示装置３の切断時における画面表示の制御の具体例について図８を参照して説明する。図８は、本実施形態に係る製造システム１０において特定の表示装置３がコンピュータ１から切断された状態の画面表示例を示す図である。
【０１１１】
本実施形態でも、図５に示すように、主表示装置Ｄ１、第１副表示装置Ｄ２および第２副表示装置Ｄ３がコンピュータ１に接続されている状態では、それぞれに画面ＳＡ，ＳＢ，ＳＣが表示されるものとする。また、図８に示すように、コンピュータ１には、画面データＤｓとして画面ＳＡ，ＳＢ，ＳＣ，ＳＤが保存されている。画面ＳＤは、報知画面として用意される画面である。
【０１１２】
まず、上記の表示装置３の構成に基づく画面表示パターンは、表４に示すように作成される。
【０１１３】
【表４】
2018066936.tif 000006
【０１１４】
第１副表示装置Ｄ２は、図５に示す正常な接続状態から、コンピュータ１から切断されると、画面ＳＢを表示できなくなる。この場合、表示画面決定部８３３は、レジストリ管理部７１から取得したＩＤ１およびＩＤ３の組み合わせと、表４に示す通常時の画面表示パターンとに基づいて、実施形態１で表１の画面表示パターンを参照した場合と同じく、主表示装置Ｄ１に画面ＳＡを表示し、第２副表示装置Ｄ３に画面ＳＣを表示し、第１副表示装置Ｄ２を非表示とすることを決定する。
【０１１５】
一方、この状態からアラームが発生すると、表示画面決定部８３３は、レジストリ管理部７１から取得したＩＤ１およびＩＤ３の組み合わせと、表４に示すアラーム発生時の画面表示パターンとに基づいて、主表示装置Ｄ１に画面ＳＡを表示し、第２副表示装置Ｄ３に報知画面として画面ＳＤを表示し、第１副表示装置Ｄ２を非表示とすることを決定する。表示画面決定部８３３は、この決定において、例えば、制御機器４から送信されたアラームデータに基づいて、通常時の画面表示パターンをアラーム発生時の画面表示パターンに切り替えて参照する。これにより、図８に示すように、第２副表示装置Ｄ３は、通常時と異なり、アラーム画面ＳＤを表示する。
【０１１６】
このように、画面表示のアラーム発生時に、画面表示パターンで特定された表示装置３に報知画面を表示することにより、所望の表示装置３でアラームの発生を確認することができる。また、アラームの発生が無くなれば、表示画面決定部８３３は、アラーム発生時の画面表示パターンを通常時の画面表示パターンに切り替えて参照する。これにより、コンピュータ１に接続された表示装置３は通常の画面を表示する。従って、接続が不安定になりがちなネットワーク経由のマルチディスプレイ環境で、異常の確認や異常からの復旧に容易に対応することができる。
【０１１７】
なお、表４に示す画面表示パターンでは、主表示装置Ｄ１、第１副表示装置Ｄ２および第２副表示装置Ｄ３のうちの１台に画面ＳＤを表示するようにしているが、全てに画面ＳＤを表示してもよい。
【０１１８】
また、本実施形態では、アラームの発生を報知する報知画面を表示するように構成されているが、報知する対象は、予め定められた何らかの事象であればよい。事象には、アラーム以外に、ユーザの操作、制御機器４や装置５の動作などによって生じる各種のイベントが含まれる。これにより、何らかの事象が生じることによって、画面表示パターンデータＤｐｔｎを動的に変更することができる。
【０１１９】
〔実施形態４〕
本発明の実施形態４について図１、図２、図９および図１０に基づいて説明すると、以下の通りである。なお、本実施形態において、実施形態１における構成要素と同一の機能を有する構成要素については、同一の符号を付記して、その説明を省略する。
【０１２０】
図９は、本実施形態に係る表示システムの構成を示すブロック図である。
【０１２１】
図１に示す製造システム１０において、図９に示す表示システム２０が設けられている。この表示システム２０は、実施形態１の表示システムと同じく、複数の表示装置３を備えるが、複数のコンピュータ１を備えることが実施形態１の表示システムと異なる。図９では、表示システム２０が２台のコンピュータ１および２台の表示装置３を備える構成を示しているが、コンピュータ１および表示装置３の台数は２台に限定されない。
【０１２２】
コンピュータ１および表示装置３は、ＬＡＮ６を介して相互に接続されている。コンピュータ１は、実施形態１〜３のいずれかにおけるコンピュータ１である。また、コンピュータ１は、それぞれ、自機に対応した表示装置３で通常表示する主画面と、他機に対応した表示装置３で表示する副画面とを、画面データＤｓの形態で補助記憶装置１４に記憶している。
【０１２３】
コンピュータ１のそれぞれの表示画面決定部８３３は、他機のコンピュータ１が故障（切断も含む）した場合に、他機のコンピュータ１に対応する表示装置３に表示すべき画面を決定する。このため、画面表示パターンデータ作成部８３１は、通常時に自機のコンピュータ１が表示する主画面を規定するとともに、他機のコンピュータ１が故障したときに、他機のコンピュータ１に対応する表示装置３が表示する副画面を規定するように、画面表示パターンデータＤｐｔｎを作成する。
【０１２４】
本実施形態におけるコンピュータ１同士は、ＯＳ７によって、他機のコンピュータ１が正常に動作していることを、ＬＡＮ６を通じてやり取りされる前述のキープアライブ信号によって相互に定期的にチェックしている。このため、コンピュータ１は、他機のコンピュータ１が故障しているか否かをキープアライブ信号によって判断することができる。
【０１２５】
ここで、コンピュータ１の故障時における画面表示の制御の具体例について図１０を参照して説明する。図１０の（ａ）は、表示システム２０における正常な画面表示例を示す図である。図１０の（ｂ）は、表示システム２０において１台のコンピュータが故障した状態の画面表示例を示す図である。図１０の（ｃ）は、表示システム２０において１台のコンピュータが故障した状態の他の画面表示例を示す図である。
【０１２６】
以降の説明では、２台のコンピュータ１をそれぞれ第１コンピュータＣ１および第２コンピュータＣ２とし、２台の表示装置３をそれぞれ第１表示装置Ｄ１１および第２表示装置Ｄ１２とする。また、第１コンピュータＣ１および第２コンピュータＣ２は、それぞれ画面ＳＡ，ＳＢを画面データＤｓの形態で補助記憶装置１４に記憶している。
【０１２７】
上記の表示システム２０の構成に基づく画面表示パターンは、表５に示すように作成される。表５に示すように、画面表示パターンでは、主画面のみを表示する場合、第１コンピュータＣ１が第１表示装置Ｄ１１に表示させる主画面が画面ＳＡであること、および第２コンピュータＣ２が第２表示装置Ｄ１２に表示させる主画面が画面ＳＢであることが規定されている。また、画面表示パターンでは、主画面および副画面を表示する場合、上記の主画面のみを表示する場合の主画面の規定に加えて、第１コンピュータＣ１が第２表示装置Ｄ１２に表示させる副画面が画面ＳＢであること、および第２コンピュータＣ２が第１表示装置Ｄ１１に表示させる副画面が画面ＳＡであることが規定されている。
【０１２８】
【表５】
2018066936.tif 000007
【０１２９】
図１０の（ａ）に示すように、第１コンピュータＣ１および第２コンピュータＣ２は、正常に動作している場合、ＬＡＮ６を介して相互にキープアライブ信号をやり取りすることによって、互いに正常に動作していることを認識する。この場合、第１表示装置Ｄ１１は画面ＳＡを表示し、第２表示装置Ｄ１２は画面ＳＢを表示している。また、この場合、第１表示装置Ｄ１１は画面ＳＢを表示しないし、第２表示装置Ｄ１２は画面ＳＡを表示しない。
【０１３０】
この状態から、第１コンピュータＣ１が故障した場合、第１コンピュータＣ１は第１表示装置Ｄ１１に画面データＤｓを送信できなくなる。このため、図１０の（ｂ）に示すように、第１表示装置Ｄ１１には何も表示されない。この場合、第２コンピュータＣ２は、第１コンピュータＣ１からのキープアライブ信号を受信できないので、第１コンピュータＣ１が正常に動作していないことを認識する。そこで、第２コンピュータＣ２の表示監視部８３は、ＯＳ７からの通知によって第１コンピュータＣ１の故障を検知すると、表示画面決定部８３３により、表５に示す画面表示パターンに基づいて、第１表示装置Ｄ１１に副画面として画面ＳＡを表示することを決定する。これにより、第２コンピュータＣ２から第１表示装置Ｄ１１に画面ＳＡの画面データＤｓがＬＡＮ６を介して送信されるので、図１０の（ｃ）に示すように、第１表示装置Ｄ１１は、正常時と同じく、画面ＳＡを表示する。
【０１３１】
第１コンピュータＣ１が故障状態から正常な状態に復帰すると、ＬＡＮ６を介したキープアライブ信号のやり取りも復帰するので、第２コンピュータＣ２の表示監視部８３は、第１コンピュータＣ１の正常動作を検知する。表示画面決定部８３３は、表５に示す画面表示パターンに基づいて、画面ＳＡを非表示することを決定する。これにより、第２コンピュータＣ２から第１表示装置Ｄ１１に画面ＳＡの画面データＤｓが送信されなくなる。一方、第１コンピュータＣ１の表示監視部８３は、表示画面決定部８３３により、表５に示す画面表示パターンに基づいて、画面ＳＡを表示する一方、画面ＳＢを非表示とすることを決定する。これにより、図１０の（ａ）に示すように、第１コンピュータＣ１から第１表示装置Ｄ１１に画面ＳＡの画面データＤｓが送信される。この結果、第１表示装置Ｄ１１は、正常時と同じく、画面ＳＡを表示する。
【０１３２】
このように、画面表示パターンを参照することにより、複数台のコンピュータ１のうち１台が故障しても、他の正常に動作しているコンピュータ１が、故障したコンピュータ１に代わって、故障したコンピュータ１が画面を表示させていた表示装置３に当該画面を表示させる。これにより、コンピュータ１の故障時にも画面の表示が維持されるので、製造システム１０の運転を継続することができる。従って、コンピュータ１の故障が原因となって画面が表示されないために製造システム１０の運転に支障を来すという不都合を回避できる。
【０１３３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３４】
１  コンピュータ（表示制御装置）
３  表示装置
６  ＬＡＮ（ネットワーク）
８３  表示監視部
８３１  画面表示パターンデータ作成部（画面表示パターン情報作成部，画面表示パターン情報更新部）
８３２  接続構成特定部（接続特定部）
８３３  表示画面決定部
Ｃ１  第１コンピュータ（表示制御装置）
Ｃ２  第２コンピュータ（表示制御装置）
Ｄ１  主表示装置（表示装置）
Ｄ２  第１副表示装置（表示装置）
Ｄ３  第２副表示装置（表示装置）
Ｄ１１  第１表示装置（表示装置）
Ｄ１２  第２表示装置（表示装置）
Ｄｐｔｎ  画面表示パターンデータ（画面表示パターン情報）
ＳＡ〜ＳＣ  画面
ＳＤ  画面（報知画面）
【図１】
2018066936.tif 000008
【図２】
2018066936.tif 000009
【図３】
2018066936.tif 000010
【図４】
2018066936.tif 000011
【図５】
2018066936.tif 000012
【図６】
2018066936.tif 000013
【図７】
2018066936.tif 000014
【図８】
2018066936.tif 000015
【図９】
2018066936.tif 000016
【図１０】
2018066936.tif 000017
【図１１】
2018066936.tif 000018